(57)【特許請求の範囲】
【請求項１】
比重が少なくとも１．０  以上ある多面体をほぼ一列に並べ、これら多面体を弾力性のある膜により被覆して、該膜の表面にランダムの凹凸を形成して先導部としたことを特徴とするカテーテル。
【発明の詳細な説明】
【０００１】
【産業上の利用分野】
本発明は、カテーテルに関し、詳しくは消化器系用のカテーテルに関する。
【０００２】
【従来の技術】
従来、消化器系用のカテーテルとして▲１▼実公昭５７−８８３２  号公報、▲２▼実公平３−１４１９５  号公報が知られている。
【０００３】
▲１▼のカテーテルは、金属製の球をそれらの中心が一定の間隔かつ一直線上にあるように複数個をゴム等で被覆し、規則的な凹凸を形成した先導部をカテーテルの先端としたものであり、胃腸の蠕動に規則な凹凸を合せることにより、カテーテルの挿入を容易にするものである。
【０００４】
▲２▼のカテーテルは、複数個の金属製、セラミック製など適宜の重さの球はその各中心が一直線上にあり、かつ最先端の球及びこれに次又は三番目に位置する球を、その他の球より大なるものもしくは比重の大きいものを配列し、これらをゴム等で被覆して凹凸を形成した先導部を、カテーテルの先端としたものであり、胃腸の蠕動に凹凸を合せることにより、カテーテルの挿入が容易となり、カテーテルの向きを変える必要がある場合に、先導部の重さを利用し患者の姿勢を変えることにより、方向変更をし易すくすることができるものである。
【０００５】
【発明が解決しようとする課題】
しかしながら、上述の▲１▼のカテーテルでは、その先導部に規則的な凹凸があるのみであるから、胃腸の蠕動に適合しない場合も生じ、結果的にカテーテルを力により押し込むことになり、患者により大きな苦痛を与えることになりかねない。
【０００６】
また、▲２▼のカテーテルでは、患者の姿勢を変えることにより方向変更をし易く、先導部に若干の不規則性を付与した凹凸であるが、いずれも球であるため先導部と胃腸との引っかかりが不充分である。方向変更も胃腸の蠕動を充分に利用し得て初めてスムーズに行なうことができるものであるから、上述の引っかかりが弱いため力に頼ってカテーテルの方向変更をする結果になることがある。
【０００７】
そこで、本発明は上記事情に鑑みてなされたもので、先導部にランダムの凹凸を付与することで、臓器の運動により適合させ、方向変更もスムーズにさせることができるカテーテルを提供することを課題とする。
【０００８】
【課題を解決するための手段】
上記課題を解決するため、本発明のカテーテルは、比重が少なくとも１．０  以上ある多面体をほぼ一列に並べ、これら多面体を弾力性のある膜により被覆して、該膜の表面にランダムの凹凸を形成して先導部としたものである。
【０００９】
【作用】
上記構成によれば、まず臓器の蠕動にカテーテルの先導部の先端がかかり臓器内に引き込まれ、続く先導部のランダムの凹凸が蠕動にかかりこれに牽引されて臓器の内部に先導部が進み、カテーテルを引き込む。
【００１０】
【実施例】
以下、本発明の実施例を添付図面に基づいて詳述する。
図１は本発明のカテーテルを示す１部を切欠した平面図、図２は図１のＡ−Ａ線に沿う断面図、図３は図１のＢ−Ｂ線に沿う断面図である。図において、１はカテーテルを示し、このカテーテル１は、比重が少なくとも１．０  以上ある多面体２をほぼ一列に並べ、これら多面体２を弾力性のある膜３により被覆して、該膜３の表面にランダムの凹凸４を形成して先導部５としたものである。そして、このカテーテル１は、上述の先導部５にチューブ１０が接続している。このチューブ１０にはバルーン部１１があり、このバルーン部１１の両側に位置するチューブ１０には薬液排出及び排出液取出孔１２が複数設けられ、チューブ１０内の薬液及び排出液流通路１３に連絡し、更に、この薬液及び排出液流通路１３は排出液取出ポート１９に連絡している。なお、チューブ１０は図３に示すように種々あり、バルーン部１１はチューブ１０の通路１７を通ってインフレーションポート１８に連絡し、空気ポート１４はチューブ１０の空気通路２０を通ってバルーン部１１の先導部５側チューブ１０に位置する薬液及び排出液流通路１３に接合している。
【００１１】
前記先導部５の多面体２は、特に限定がなく、球を直径方向に複数か所切り欠いたものも含むが、４面体のように角が鋭角となるようなものは膜３が破れ易いので望ましくない。この多面体２の素材は、金属、セラミックを主に使用するが、これに限定せず天然の産品、例えば、岩石、鉱石、貝がら、角（つの）、動物の骨等であっても良く、形状、品質がある程度一定し、比重が１以上のものであれば特に限定しない。そして、この多面体２は、図３に示すように、先端３ａから２ａ、２ａの２個が大きく、３個目から６個目まで、すなわち２ｃ、……が小さなものとなって一列に並んでいる。この場合の多面体２の比重は同じものが使用される。但し、形状の大きい多面体である２ａ、２ａの比重が形状の小さい多面体２ｂ、……の比重より大きくても良い。
【００１２】
前記膜３は、先端３ａを有しこれにチューブ膜体３ｂが連なり、チューブ膜体３ｂ内に上述の多面体２ａ、２ｂを挿入して、更に、このチューブ膜体３ｂが前記チューブ１０に接続してある。このため、前記先導部５の膜３の表面には多面体２ａ、２ｂの表面形状が現れ凹凸４を形成する。この凹凸４は、多面体２ａ、２ａの表面形状をほぼ忠実に再現されているから、例えば多面体２ａ、２ａの形状を替えることで臓器の蠕動に適合した表面形状にすることができる。
【００１３】
この膜３は、通常シリコンゴムを使用するが、これに限定せず毒性等がなく使用に耐え得る程度の化学的安定性、耐久性を有して、膜状にすることが出来るものであれば、いかなる素材のものでも良い。
【００１４】
次に上記構成になるカテーテル１の使用について説明する。まず、包装袋などからカテーテル１を出して用意し、挿入しようとする臓器、例えば消化器にカテーテル１の先導部５の先端３ａを挿入して行くと、消化器の蠕動に先端３ａがかかり引き込まれて行き、先導部５の形状の大きい多面体２ａ、２ａの凹凸４が蠕動にかかり、消化器内に嵌合した状態となり消化器と凹凸４との引っ掛りが良くなり、カテーテル１全体を牽引して行くような状態となって消化器内に進んで行く。また、カテーテル１の挿入方向を変える場合には、患者の姿勢を変え先端３ａ側の大きいため重い多面体２ａ、２ａの重みを利用して、先導部５の先端３ａを挿入した方向にあたかもお辞儀をさせるようにして方向変更をする。
【００１５】
図４は本発明の他の実施例を示すもので、このカテーテル１ａの先導部５ａは、先端３ａ側から形状の小さな多面体２ｂ、大きな多面体２ａ、小さな多面体２ｂ、大きな多面体２ａ、あとは小さな多面体２ｂの順で一列に並べ、比重はすべて同一のものを使用している。その他の構成・作用については、図１〜３に示す実施例と同一なので図面に符号を付してその説明を省略する。
【００１６】
図５は本発明の他の実施例を示し、このカテーテル１ｂの先導部５ｂは、すべて小さな多面体２ａを使用し、先端３ａ側から２個までの多面体２ａの比重を残りの多面体２ａの比重より重いものを使用している。その他の構成・作用は図１〜３に示す実施例と同一なので、図面に符号を付してその説明を省略する。
【００１７】
図６も本発明の他の実施例を示し、このカテーテル１ｃは図１〜３に示す実施例のものに比べて大きな多面体２ａが１個多いものである。
なお、本発明のカテーテルは以下のような態様がある。
１．比重が少なくとも１．０  以上ある多面体２をほぼ一列に並べ、これら多面体２ａを弾力性のある膜３により被覆して、該膜３の表面にランダムの凹凸４を形成して先導部５とし、該先導部５の先端３ａ側に位置する多面体２を他の多面体２より大きくしたカテーテル。
２．先導部５に先端３ａ側に位置する多面体２の比重を他の多面体２の比重より重くしたカテーテル。
【００１８】
【発明の効果】
以上詳述したように、本発明のカテーテルによれば、まず臓器の運動に先導部の先端がかかり引き込まれ、続く先導部のランダムの凹凸が運動にかかりこれに牽引されて臓器の内部に先導部が進み、カテーテルを引き込むことができる。従って、先導部にランダムの凹凸を付与して、臓器の運動により適合させたものにでき、引っかかりも良いので、臓器の運動を最大限に利用し得て、その分引き込み力が増大するから、方向変更による抵抗の若干の増加に対しても有効となり、方向変更をスムーズにすることができ、患者に対する苦痛を和らげることが可能になる効果がある。
【図面の簡単な説明】
【図１】本発明のカテーテルを示す１部を切欠した平面図。
【図２】図１のＡ−Ａ線に沿う断面図。
【図３】図１のＢ−Ｂ線に沿う断面図。
【図４】本発明の他の実施例を示す断面図。
【図５】本発明の他の実施例を示す断面図。
【図６】本発明の他の実施例を示す断面図。
【符号の説明】
１、１ａ、１ｂ、１ｃ    カテーテル
２、２ａ、２ｂ    多面体
３    膜                          ３ａ    先端
４    凹凸                        ５、５ａ、５ｂ    先導部
【図１】
0003611606.tif 000002
【図２】
0003611606.tif 000003
【図３】
0003611606.tif 000004
【図４】
0003611606.tif 000005
【図５】
0003611606.tif 000006
【図６】
0003611606.tif 000007